(57)【要約】【課題】絶縁カバーを配電線に取り付ける際の作業性を向上させる。【解決手段】第１カバー片２０は、収容部の一部を構成する第１分割収容部２１と、各案内部の一部を構成する第１分割案内部２２と、第１分割収容部２１から延出されて絶縁ヤットコが備える先端工具によって把持される被把持部２４と、を備え、第２カバー片３０は、収容部の他部を構成する第２分割収容部３１と、各案内部の他部を構成する第２分割案内部３２と、を備える。少なくとも一方のカバー片２０、３０の一方の分割案内部２２、３２には、共用操作棒が備えるトングによって配電線２とともに挟持される被挟持片３４が設けられている。【選択図】図４
2018196167.tif 000002
【特許請求の範囲】
【請求項１】
第１カバー片と、該第１カバー片に対してヒンジ部を介して開閉自在に連結された第２カバー片と、を備え、配電線と引下げ線とを電気的に接続した接続部材を収容する中空形状の収容部、及び該収容部の軸方向両端から夫々延出されて前記配電線を案内する案内部を、前記両カバー片が閉止状態にある時に形成する絶縁カバーであって、
前記第１カバー片は、前記収容部の一部を構成する第１分割収容部と、前記各案内部の一部を構成する第１分割案内部と、前記第１分割収容部から延出されて操作棒が備える把持具によって把持される被把持部と、を備え、
前記第２カバー片は、前記収容部の他部を構成する第２分割収容部と、前記各案内部の他部を構成する第２分割案内部と、を備え、
前記少なくとも一方のカバー片の一方の分割案内部には、操作棒が備える挟持具によって前記配電線とともに挟持される被挟持部が設けられていることを特徴とする絶縁カバー。
【請求項２】
前記第１カバー片は、第１止着部を備え、
前記第２カバー片は、前記両カバー片が前記閉止状態にある時に前記第１止着部に止着する第２止着部を備え、
前記被挟持部は、前記第２分割案内部の少なくとも一方に設けられていることを特徴とする請求項１に記載の絶縁カバー。
【請求項３】
請求項１又は２に記載の絶縁カバーを前記配電線に取り付ける取り付け方法であって、
前記第１カバー片と前記第２カバー片とが開いた状態で前記被把持部を前記把持具によって把持し、該把持具を備える操作棒を介して前記第１カバー片と前記第２カバー片との間に前記配電線を位置付ける工程と、
前記挟持具を備える操作棒を介して、前記被挟持部を前記配電線とともに前記挟持具によって挟持する工程と、
前記被挟持部が挟持された状態で前記第１カバー片と前記第２カバー片とを操作棒によって閉止する工程と、
を備えたことを特徴とする絶縁カバーの取り付け方法。
【発明の詳細な説明】
【技術分野】
【０００１】
本発明は、配電線と引下げ線とを電気的に接続した接続部材を収容する絶縁カバー、及び絶縁カバーの取り付け方法に関する。
【背景技術】
【０００２】
配電線に取り付けられる絶縁カバーには、配電線と引下げ線とを電気的に接続した接続部材を収容するものがある。特許文献１に開示された絶縁カバーでは、開閉可能な一対のカバー片の内側に弾性変形可能なバンド部材が配置されており、配電線に取り付ける際の作業性を向上させている。この絶縁カバーにおいて、バンド部材の一端部は一方のカバー片に固定され、バンド部材の他端部は他方のカバー片に固定されている。バンド部材の復元力によって、一方のカバー片と他方のカバー片とが開放された状態に維持される。
特許文献１の絶縁カバーを配電線に取り付ける場合、一方のカバー片に設けられた被把持部を絶縁ヤットコの先端工具（操作棒の先端に取り付けた把持具の一種）で把持し、一対のカバー片の内側に配電線が位置するように絶縁カバーを配置する。絶縁カバーを配置したならば、絶縁ヤットコを動かしてバンド部材を配電線に押し付ける。バンド部材は、配電線に押し付けられることで湾曲する。バンド部材が湾曲すると、他方のカバー片が一方のカバー片の近傍に配置される。その後、一方のカバー片と他方のカバー片とを止着することで、絶縁カバーが配電線に取り付けられる。
特許文献１の絶縁カバーでは、バンド部材の復元力によって一対のカバー片が開放状態に維持されるので、一対のカバー片の内側に配電線を位置付けることが容易であり、絶縁カバーを配電線に取り付ける際の作業性を向上させることができる。
【先行技術文献】
【特許文献】
【０００３】
【特許文献１】特開２０１６−１４４３２８公報
【発明の概要】
【発明が解決しようとする課題】
【０００４】
特許文献１に記載の絶縁カバーは、被把持部を把持具で把持することで所望の位置に配置される。しかしながら、絶縁カバーは被把持部が把持具で把持されているだけのため、この絶縁カバーを配電線に取り付ける場合、被把持部を把持具で把持した状態を作業中に亘って維持する必要がある。特許文献１に記載の絶縁カバーには、この点に改良の余地があった。
本発明は、このような事情に鑑みてなされたものであり、その目的は、絶縁カバーを配電線に取り付ける際の作業性を向上させることにある。
【課題を解決するための手段】
【０００５】
上記目的を達成するため、請求項１に係る発明は、第１カバー片と、該第１カバー片に対してヒンジ部を介して開閉自在に連結された第２カバー片と、を備え、配電線と引下げ線とを電気的に接続した接続部材を収容する中空形状の収容部、及び該収容部の軸方向両端から夫々延出されて前記配電線を案内する案内部を、前記両カバー片が閉止状態にある時に形成する絶縁カバーであって、前記第１カバー片は、前記収容部の一部を構成する第１分割収容部と、前記各案内部の一部を構成する第１分割案内部と、前記第１分割収容部から延出されて操作棒が備える把持具によって把持される被把持部と、を備え、前記第２カバー片は、前記収容部の他部を構成する第２分割収容部と、前記各案内部の他部を構成する第２分割案内部と、を備え、前記少なくとも一方のカバー片の一方の分割案内部には、操作棒が備える挟持具によって前記配電線とともに挟持される被挟持部が設けられていることを特徴とする。
請求項２に係る発明は、請求項１に記載の絶縁カバーにおいて、前記第１カバー片は、第１止着部を備え、前記第２カバー片は、前記両カバー片が前記閉止状態にある時に前記第１止着部に止着する第２止着部を備え、前記被挟持部は、前記第２分割案内部の少なくとも一方に設けられていることを特徴とする。
【０００６】
請求項３に係る発明は、請求項１又は２に記載の絶縁カバーを前記配電線に取り付ける取り付け方法であって、前記第１カバー片と前記第２カバー片とが開いた状態で前記被把持部を前記把持具によって把持し、該把持具を備える操作棒を介して前記第１カバー片と前記第２カバー片との間に前記配電線を位置付ける工程と、前記挟持具を備える操作棒を介して、前記被挟持部を前記配電線とともに前記挟持具によって挟持する工程と、前記被挟持部が挟持された状態で前記第１カバー片と前記第２カバー片とを操作棒によって閉止する工程と、を備えたことを特徴とする。
【発明の効果】
【０００７】
本発明によれば、絶縁カバーを配電線に取り付ける際の作業性を向上させることができる。
【図面の簡単な説明】
【０００８】
【図１】絶縁カバーが取り付けられた配電線、引下げ線及び周辺部の説明図である。
【図２】引下げコネクタを収容した状態の絶縁カバーの説明図である。
【図３】（ａ）及び（ｂ）は配電線と引下げ線が取り付けられた引下げコネクタの正面図及び断面図である。
【図４】第１カバー片と第２カバー片とが開いた開放状態の絶縁カバーの説明図である。
【図５】閉止状態の絶縁カバーの正面図である。
【図６】閉止状態の絶縁カバーの底面図である。
【図７】閉止状態の絶縁カバーの左側面図である。
【図８】第１カバー片と第２カバー片の間に配電線等が位置するように開放状態の絶縁カバーを移動させた様子を説明する図である。
【図９】カバー押え具によって第１カバー片と第２カバー片とを近付けた様子を説明する図である。
【図１０】（ａ）及び（ｂ）はトングによって被挟持片を配電線とともに挟持した様子を説明する斜視図及び部分拡大図である。
【発明を実施するための形態】
【０００９】
以下、本発明を図面に示した実施の形態により詳細に説明する。
図１は、本発明の一実施形態に係る絶縁カバー１０が取り付けられた配電線２、引下げ線３及び周辺部の説明図である。図２は、引下げコネクタ４を収容した状態の絶縁カバー１０の説明図である。図３（ａ）及び（ｂ）は、配電線２と引下げ線３が取り付けられた引下げコネクタ４の正面図及び断面図である。
図１に示すように、絶縁カバー１０は、電柱１に架設された配電線２（例えば６．６ｋＶ用配電線）と配電線２から分岐された引下げ線３の接続箇所に取り付けられている。図２に示すように、配電線２と引下げ線３の接続箇所には引下げコネクタ４が取り付けられている。引下げコネクタ４は、配電線２と引下げ線３とを電気的に接続する接続部材の一種であり、導電性を備える金属材料（例えばアルミニウム）で作製されている。絶縁カバー１０は、引下げコネクタ４を内部に収容した状態で、配電線２に取り付けられている。
配電線２の一部の被覆２ｂを剥がして導体２ａを露出させた箇所に、引下げ線３の導体３ａを接続した引下げコネクタ４を電気的機械的に固定することにより、配電線２と引下げ線３との接続が行われる。この両線２、３の接続部位は配電線２の導体２ａと引下げコネクタ４が露出しているため、安全性、耐久性を確保するためには絶縁カバー１０により包囲しておく必要がある。
【００１０】
図３（ａ）及び（ｂ）に示すように、引下げコネクタ４は、ベース部４ａ、挟持板部４ｂ、円弧状バネ４ｃ、及び止着ネジ４ｄを備えている。ベース部４ａの下側の張出し部分は絶縁ヤットコ１１０（図８参照）の先端工具で把持される部分である。ここで、絶縁ヤットコ１１０とは、把持機能を有する間接活線工具であり、把持具が先端に取り付けられた操作棒の一種である。挟持板部４ｂは、ベース部４ａの上側部分に対向配置され、円弧状バネ４ｃによってベース部４ａ側に押し付けられている。
止着ネジ４ｄをベース部４ａのネジ穴及び挟持板部４ｂのネジ穴に螺着することにより、ベース部４ａと挟持板部４ｂが連結される。円弧状バネ４ｃは一端を４ａの表面に固定され、他端を４ｂの表面に固定されている。止着ネジ４ｄによりベース部４ａと挟持板部４ｂを締結した状態で、ベース部４ａと挟持板部４ｂとの間に跨がって円弧状バネ４ｃを係止する。
止着ネジ４ｄを緩めた状態では、円弧状バネ４ｃの弾性力よりも大きな外力を加えることで、挟持板部４ｂをベース部４ａから離隔させることができる。挟持板部４ｂをベース部４ａから離隔させると、挟持板部４ｂとベース部４ａの間には隙間が形成される。この隙間には、配電線２の途中で被覆２ｂが剥ぎ取られて露出した導体２ａ、及び引下げ線３の一端部で被覆３ｂが剥ぎ取られて露出した導体３ａが配置される。したがって、ベース部４ａ及び挟持板部４ｂには、導体２ａ及び導体３ａを案内するための溝部４ｅ及び溝部４ｆが形成されている。
各溝部４ｅ、４ｆに各導体２ａ、３ａを配置した状態で止着ネジ４ｄを締め込むと、挟持板部４ｂがベース部４ａ側に止着されて各導体２ａ、３ａがベース部４ａと挟持板部４ｂの間に固定される。これにより、導体２ａ及び導体３ａの離脱が防止されるとともに、配電線２（導体２ａ）と引下げ線３（導体３ａ）とが電気的に接続される。
【００１１】
図１に示すように、引下げ線３の他端部は柱上変圧器５に接続されている。柱上変圧器５は、引下げ線３に印加されている電圧を変更する。本実施形態では、引下げ線３に印加されている６．６ｋＶの電圧を２００Ｖ・１００Ｖの電圧に変更している。柱上変圧器５で変換された２００Ｖ・１００Ｖの電圧は、引上げ線６を介して電灯線７に印加される。
【００１２】
＜絶縁カバー１０の構造＞
次に、絶縁カバー１０の構造について詳細に説明する。図４は、第１カバー片２０と第２カバー片３０とが開いた開放状態の絶縁カバー１０の説明図である。図５は、閉止状態の絶縁カバー１０の正面図である。図６は、閉止状態の絶縁カバー１０の底面図である。図７は、閉止状態の絶縁カバー１０の左側面図である。
【００１３】
図４に示すように、絶縁カバー１０は、第１カバー片２０と、第２カバー片３０と、ヒンジ部４０とを備えており、電気絶縁性を有する樹脂材料（例えばポリエチレン）を成形することで作製されている。例示した絶縁カバー１０において、第１カバー片２０の上端と第２カバー片３０の上端は、ヒンジ部４０を介して開閉自在に連結されている。ヒンジ部４０が弾性変形することから、外力が加えられていない場合、ヒンジ部４０の復元力によって第１カバー片２０及び第２カバー片３０は開いた状態になる。
第１カバー片２０は、第１分割収容部２１と、第１分割収容部２１の軸方向両端に夫々連設された２つの第１分割案内部２２と、第１分割収容部２１の下端縁の両端部に夫々突設された第１止着片２３と、第１分割収容部２１の下端縁中央部に突設された被把持部２４とを備えている。第２カバー片３０は、第２分割収容部３１と、第２分割収容部３１の軸方向両端に夫々連設された２つの第２分割案内部３２と、第２分割収容部３１の下端縁の両端部に夫々突設された第２止着片３３と、一方の第２分割案内部３２の先端から軸方向に延設された被挟持片３４とを備えている。なお、第１止着片２３は第１止着部の一種であり、第２止着片３３は第２止着部の一種である。
【００１４】
図４に示す第１分割収容部２１及び第２分割収容部３１は、第１カバー片２０と第２カバー片３０とが閉止された閉止状態において、図５〜図７に示す収容部１１を形成する。言い換えれば、第１分割収容部２１は収容部１１の一部を構成し、第２分割収容部３１は収容部１１の他部を構成する。収容部１１は中空形状をしており、前述した引下げコネクタ４を内部に収容可能な空間を形成する。本実施形態では、図５及び図６に符号Ａで示す第１仮想線から符号Ｂで示す第２仮想線までの範囲が収容部１１を構成する。言い換えれば、絶縁カバー１０における左側の止着片対２３、３３から右側の止着片対２３、３３までの範囲が収容部１１を構成する。
図４に示す第１分割案内部２２及び第２分割案内部３２は、第１カバー片２０と第２カバー片３０の閉止状態において、図５〜図７に示す案内部１２を形成する。言い換えれば、第１分割案内部２２は案内部１２の一部を構成し、第２分割案内部３２は案内部１２の他部を構成する。案内部１２は、収容部１１の軸方向両端から夫々延出され、配電線２および引下げ線３を案内するための空間を形成する。図４に示すように、案内部１２において、第１基端側部分２２ａと第２基端側部分３２ａとで構成される基端側部分は円筒形状をしており、第１先端側部分２２ｂと第２先端側部分３２ｂとで構成される先端側部分は先端に向けて縮径されたテーパー形状をしている。また、第１先端側部分２２ｂ及び第２先端側部分３２ｂには、それぞれ第１スリット２２ｃ及び第２スリット３２ｃが形成されている。
【００１５】
図４に示す第１止着片２３及び第２止着片３３は、各カバー片２０、３０が閉止した状態で圧接されることにより互いに止着され、第１カバー片２０と第２カバー片３０の閉止状態を維持する。第２止着片３３と対向する第１止着片２３の表面には、軸部よりも先端部が太径とされた止着突起２３ａが設けられている。第２止着片３３には、スリットが設けられるとともに板厚方向を貫通する嵌合孔３３ａが設けられている。止着突起２３ａを嵌合孔３３ａに挿入し、図６や図７に示すように、止着突起２３ａの先端部を第２止着片３３の反対面まで貫通させると、止着突起２３ａの先端部が嵌合孔３３ａの縁に当接され、ヒンジ部４０の復元力に抗して第１止着片２３と第２止着片３３とが止着される。
【００１６】
被把持部２４は、第１分割収容部２１の下端、言い換えればヒンジ部４０とは遠い側の縁部に設けられている。被把持部２４は、第１分割収容部２１から延出された舌片状部分であり、第１分割収容部２１の下端よりも下方まで延出されている。被把持部２４は、絶縁カバー１０を配電線２に取り付ける際に絶縁ヤットコ１１０（図８参照）で把持される。なお、被把持部２４に関し、本実施形態では第１分割収容部２１に設けられているが、第１分割収容部２１と第２分割収容部３１のそれぞれに設けてもよい。また、第１止着片２３と第２止着片３３の止着作業に支障がなければ、第１分割収容部２１や第２分割収容部３１以外の部分（例えば第１分割案内部２２や第２分割案内部３２）に被把持部２４を設けてもよい。
被挟持片３４は、共用操作棒（操作棒の一種）の先端に取り付けられたトング１３０（挟持具の一種、図１０参照）により、配電線２とともに挟持される被挟持部の一種である。被挟持片３４は、第２分割案内部３２（第２先端側部分３２ｂ）の先端、すなわち第２分割案内部３２における第２分割収容部３１とは反対側の端部に設けられている。被挟持片３４は、配電線２（被覆２ｂ）の外周面に沿った形状に湾曲された湾曲板片（円筒体を二分割した形状）であり、軸方向（配電線２の軸方向）に延出されている。本実施形態の被挟持片３４は、軸方向に５〜１０ｃｍ程度の長さで設けられている。なお、被挟持片３４に関し、本実施形態では一方の第２分割案内部３２だけに設けられているが、一方の第１分割案内部２２だけに設けてもよいし、対応する位置関係にある第１分割案内部２２と第２分割案内部３２の双方に設けてもよい。
【００１７】
＜絶縁カバー１０の取り付け作業＞
次に、絶縁カバー１０を配電線２に取り付ける作業について説明する。図８は、第１カバー片２０と第２カバー片３０の間に配電線２等が位置するように開放状態の絶縁カバー１０を移動させた様子を説明する図である。図９は、カバー押え具によって第１カバー片２０と第２カバー片３０とを近付けた様子を説明する図である。図１０（ａ）及び（ｂ）は、トング１３０によって被挟持片３４を配電線２とともに挟持した様子を説明する斜視図及び部分拡大図である。
以下に説明する取り付け手順は、例えば、図１に示す柱上変圧器５の新設、取り替え、撤去等の作業を行う際に行われる。絶縁カバー１０を配電線２に取り付けることで、電圧が印加された引下げコネクタ４を無用な接触から保護できる。
【００１８】
図８に示すように、絶縁カバー１０を設置する場合、絶縁ヤットコ１１０の先端工具で被把持部２４を把持する。なお、絶縁ヤットコ１１０の先端工具は、把持具の一種に相当する。被把持部２４を把持したならば、絶縁ヤットコ１１０を介して開放状態の絶縁カバー１０を配電線２の近傍に移動させる。その後、絶縁カバー１０の長手方向を配電線２の軸方向に揃えるとともに、第１カバー片２０と第２カバー片３０の間に配電線２、引下げ線３及び引下げコネクタ４が配置されるように、絶縁カバー１０の位置を調整する。絶縁カバー１０の位置を調整したならば、カバー押え具１２０（先端工具の一種）が取り付けられた共用操作棒を用い、第２カバー片３０が第１カバー片２０の近傍に近づくようにヒンジ部４０（図４参照）を屈曲させる。
カバー押え具１２０は、上側に凸の山形状に屈曲された帯状の押え板材１２１を備えている。なお、押え板材１２１の頂部は円弧形状に湾曲されている。このカバー押え具１２０を開放状態の絶縁カバー１０よりも上方に位置付けた後、押え板材１２１における頂部よりも基端側を第１カバー片２０に、頂部よりも先端側を第２カバー片３０にそれぞれ接触させ、さらにカバー押え具１２０を下方に移動させる。
図９に示すように、カバー押え具１２０が下方へ移動されると押え板材１２１の内面が両カバー片２０、３０の外面に接して両カバー片２０、３０を閉止方向に押え込むので、第２カバー片３０が第１カバー片２０の近傍に配置され、被挟持片３４が配電線２の表面近傍（被覆２ｂの表面近傍）に配置される。
【００１９】
図１０（ａ）に示すように、共用操作棒の先端に取り付けられたトング１３０（先端工具の一種）により、配電線２の表面近傍に配置された被挟持片３４を配電線２とともに挟持する。図１０（ｂ）に示すように、トング１３０は、先端部分が半円形状に湾曲された固定挟持片１３１と、固定挟持片１３１の先端部分に対して矢印方向へ近接及び離隔される可動挟持片１３２とを備えている。固定挟持片１３１と可動挟持片１３２とが離隔された状態で、固定挟持片１３１における先端部分の内側に配電線２と被挟持片３４の組を位置付け、その後、共用操作棒を操作して可動挟持片１３２を固定挟持片１３１の先端側に向けて移動させると、被挟持片３４を配電線２とともに挟持できる。
なお、トング１３０の構成は限定するものではないが、本実施形態のトング１３０では、可動挟持片１３２はネジ部１３３を正逆回転させることにより上下方向へ進退する。
被挟持片３４を配電線２とともに挟持したならば、被把持部２４を把持している絶縁ヤットコ１１０とは別の絶縁ヤットコを用い、第１止着片２３と第２止着片３３とを互いに止着する。図１０（ａ）を参照して説明すると、第１止着片２３の止着突起２３ａを第２止着片３３の嵌合孔３３ａに挿入し、止着突起２３ａの先端部を第２止着片３３の反対面まで貫通させることで、第１止着片２３と第２止着片３３とを互いに止着する。本実施形態の絶縁カバー１０は、第１止着片２３及び第２止着片３３を２組備えているので、以上の止着作業を各組に対して行う。
止着作業が終わったならば、トング１３０による挟持状態を解いて、トング１３０を取り外す。あわせてカバー押え具１２０を取り外し、絶縁ヤットコ１１０による被把持部２４の把持状態を解く。以上で絶縁カバー１０の配電線２への取り付けが終了する。
【００２０】
本実施形態の絶縁カバー１０は、第２分割案内部３２の先端に被挟持片３４が設けられているので、第１止着片２３と第２止着片３３とを互いに止着する前の段階で、被挟持片３４を配電線２に仮固定でき、仮固定後における作業性を向上させることができる。
例えば、トング１３０によって被挟持片３４を配電線２に仮固定することで、絶縁カバー１０の配電線２からの落下を効果的に抑制できる。特に、第１止着片２３と第２止着片３３とを止着する場合、強い外力が絶縁カバー１０に加わり易い。被挟持片３４が配電線２に仮固定され、且つ、被把持部２４が絶縁ヤットコ１１０で把持されていることから、絶縁ヤットコ１１０による被把持部２４の把持力が不足しても、絶縁カバー１０の配電線２からの落下を抑制できる。
また、第２分割案内部３２に被挟持片３４が設けられ、第１分割収容部２１に被把持部２４が設けられているので、トング１３０によって被挟持片３４が配電線２に仮固定された後にカバー押え具１２０が絶縁カバー１０から外れてヒンジ部４０の復元力が作用したとしても、トング１３０によって第２カバー片３０の動きが規制されて絶縁カバー１０が開放状態に戻ってしまう不都合を抑制できる。また、カバー押え具１２０が絶縁カバー１０から外れてしまっても、第１止着片２３と第２止着片３３とが近づいた状態が維持されるので、第１止着片２３と第２止着片３３を容易に止着することができる。
【００２１】
＜変形例＞
（１）被挟持片３４に関し、配電線２（被覆２ｂ）の外周面に沿った形状に湾曲された湾曲板片（円筒体を二分割した形状）を例示したが、トング１３０等の挟持具によって配電線２とともに挟持可能であれば、この形状に限定されるものではない。
（２）被挟持片３４に関し、絶縁カバー１０を射出成型により新たに製造する際に第２分割案内部３２に対して被挟持片３４を一体化するようにしてもよいし、既存の絶縁カバー１０の第２分割案内部３２に対して被挟持片３４を溶着、接着等々により後付けするように構成してもよい。
（３）収容部１１に関し、配電線２と引下げ線３とを電気的に接続した引下げコネクタ４を収納可能であれば、任意の形状を採ることができる。
（４）案内部１２に関し、配電線２と引下げ線３の両方を案内するものを例示したが、少なくとも配電線２を案内できればよい。案内部１２が配電線２のみを案内する場合、引下げ線３を案内する他の案内部を収容部１１から延出させればよい。
（５）案内部１２に関し、基端側部分が円筒形状とされ、先端側部分がテーパー形状とされたものを例示したが、この形状に限定されるものではない。例えば、案内部１２を、その全長に亘る角筒形状としてもよい。
（６）第１止着部及び第２止着部に関し、第１止着片２３に止着突起２３ａを設け、第２止着片３３に嵌合孔３３ａ設ける構成を例示したが、この構成に限定されるものではない。第１止着部と第２止着部が互いに止着されれば、面ファスナー等の他の止着形態を採ってもよい。
【００２２】
＜本発明の構成、作用、効果のまとめ＞
第１の本発明に係る絶縁カバー１０は、第１カバー片２０と、第１カバー片２０に対してヒンジ部４０を介して開閉自在に連結された第２カバー片３０と、を備え、配電線２と引下げ線４とを電気的に接続した引下げコネクタ４を収容する中空形状の収容部１１、及び収容部１１の軸方向両端から夫々延出されて配電線２を案内する案内部１２を、両カバー片２０、３０が閉止状態にある時に形成するものであって、第１カバー片２０は、収容部１１の一部を構成する第１分割収容部２１と、各案内部１２の一部を構成する第１分割案内部２２と、第１分割収容部２１から延出されて絶縁ヤットコ１１０が備える先端工具によって把持される被把持部２４と、を備え、第２カバー片３０は、収容部１１の他部を構成する第２分割収容部３１と、各案内部１２の他部を構成する第２分割案内部３２と、を備え、少なくとも一方のカバー片２０、３０の一方の分割案内部２２、３２には、共用操作棒が備えるトング１３０によって配電線２とともに挟持される被挟持片３４が設けられていることを特徴とする。
分割案内部２２、３２に設けられた被挟持片３４をトング１３０によって配電線２とともに挟持すると、絶縁カバー１０が配電線２に仮固定されることから、絶縁カバー１０の配電線２からの落下を効果的に抑制でき、絶縁カバー１０を配電線２に取り付ける際の作業性を向上させることができる。
【００２３】
第２の本発明に係る絶縁カバー１０は、第１カバー片２０には第１止着片２３が備えられ、第２カバー片３０には両カバー片２０、３０が閉止状態にある時に第１止着片２３に止着される第２止着片３３が備えられ、被挟持片３４は、第２分割案内部３２の少なくとも一方に設けられていることを特徴とする。
第２分割案内部３２に設けられた被挟持片３４が配電線２とともに挟持されることで、ヒンジ部４０の復元力が作用しても第２カバー片３０の動きが規制され、絶縁カバー１０が開放状態に戻ってしまう不都合を抑制でき、第１止着片２３と第２止着片３３とを容易に止着できる。
【００２４】
第３の本発明に係る絶縁カバー１０の取り付け方法は、第１カバー片２０と第２カバー片３０とが開いた状態で被把持部２４を絶縁ヤットコ１１０の先端工具によって把持し、絶縁ヤットコ１１０を介して第１カバー片２０と第２カバー片３０との間に配電線３を位置付ける工程と、トング１３０を備える共用操作棒を介して、被挟持片３４を配電線２とともにトング１３０によって挟持する工程と、被挟持片３４が挟持された状態で第１カバー片２０と第２カバー片３０とを絶縁ヤットコ１１０とは別の絶縁ヤットコによって閉止する工程と、を備えたことを特徴とする。
第１カバー片２０と第２カバー片３０とを閉止する前に被挟持片３４を配電線２とともにトング１３０によって挟持していることから、絶縁カバー１０の配電線２からの落下を効果的に抑制でき、絶縁カバー１０を配電線２に取り付ける際の作業性を向上させることができる。
【符号の説明】
【００２５】
２…配電線、３…引下げ線、４…引下げコネクタ、１０…絶縁カバー、２０…第１カバー片、２１…第１分割収容部、２２…第１分割案内部、２３…第１止着片、２４…被把持部、３０…第２カバー片、３１…第２分割収容部、３２…第２分割案内部、３３…第２止着片、３４…被挟持片、４０…ヒンジ部、１１０…絶縁ヤットコ、１２０…カバー押え具、１３０…トング
【図１】
2018196167.tif 000003
【図２】
2018196167.tif 000004
【図３】
2018196167.tif 000005
【図４】
2018196167.tif 000006
【図５】
2018196167.tif 000007
【図６】
2018196167.tif 000008
【図７】
2018196167.tif 000009
【図８】
2018196167.tif 000010
【図９】
2018196167.tif 000011
【図１０】
2018196167.tif 000012